(57)【要約】      （修正有）【課題】紫外線の強度をいつでも、どこでも知ることが出来、さらに積極的警告を発する携帯型の紫外線強度表示装置を提供する。【解決手段】携帯型紫外線強度表示装置は、乗り物又は持ち運び可能な物品や電子機器に搭載される。紫外線強度表示装置は、紫外線センサ１１及びディスプレイ１２１及び／又はアラーム１２２などの表示装置１２を含み、ディスプレイに表示し、及び／又は警報音あるいは振動を発生させることにより、可視的信号及び／又は可聴的信号あるいは体感的信号を出力し、過度の紫外線照射を警告する。【選択図】図３
2004226409.tif 000002
【特許請求の範囲】
【請求項１】
紫外線を受光し、紫外線の強度に応じた電気信号を発生するための紫外線センサと、
前記紫外線センサに接続され、前記電気信号に応じて表示信号を発生する表示装置を備えたことを特徴とする更新された紫外線情報をユーザに提供するための携帯型紫外線強度表示装置。
【請求項２】
前記表示信号は、前記紫外線の強度を表示する可視的信号であることを特徴とする請求項１に記載の携帯型紫外線強度表示装置。
【請求項３】
前記表示装置は、計器、液晶ディスプレイ（ＬＣＤ）、エレクトロルミネセンス（ＥＬ）ディスプレイ、真空蛍光ディスプレイ（ＶＦＤ）、発光ダイオード（ＬＥＤ）、有機発光ダイオード（ＯＬＥＤ）、重合体発光ダイオード（ＰＬＥＤ）、低温ポリシリコン液晶ディスプレイ（ＬＴＰＳ−ＬＣＤ）又は７セグメントディスプレイであることを特徴とする請求項１又は２に記載の携帯型紫外線強度表示装置。
【請求項４】
前記表示信号は、前記電気信号が閾値を超えたときに出力される可視的信号、可聴的信号又は体感的信号であることを特徴とする請求項１に記載の携帯型紫外線強度表示装置。
【請求項５】
前記表示信号が可視的信号であるとき、前記表示装置は発光素子、計器、ディスプレイ、フォトクロミックユニット又はエレクトロクロミックユニットであり、前記表示信号が可聴的信号であるとき、前記表示装置はアラーム、又は音声又は楽曲発生装置であり、前記表示信号が体感的信号であるときは、前記表示装置はバイブレータであることを特徴とする請求項４に記載の携帯型紫外線強度表示装置。
【請求項６】
乗り物に用いることを特徴とする請求項１乃至５のいずれかに記載の携帯型紫外線強度表示装置の用途。
【請求項７】
前記電気信号を前記紫外線センサから前記表示装置に乗り物用ディジタルバスを介して送信することを特徴とする請求項６に記載の用途。
【請求項８】
持ち運び可能な物品に用いることを特徴とする請求項１乃至５のいずれかに記載の携帯型紫外線強度表示装置の用途。
【請求項９】
前記持ち運び可能な物品は、前記携帯型紫外線強度表示装置の表示装置として機能する組込型ディスプレイ又は組込型音響発生装置を備えた電子機器であることを特徴とする請求項８に記載の用途。
【発明の詳細な説明】
【技術分野】
【０００１】
本発明は、紫外線強度表示装置、特に乗り物又は持ち運び可能な物品に用いられる携帯型紫外線強度表示装置に関する。
【背景技術】
【０００２】
医学的に証明されているように、紫外線(ultraviolet radiation)は広い範囲で人間の肌に有害である。残念ながら、直接的な紫外線から人々の肌を保護することが可能であると考えられているオゾン層の破壊により、人々は、強い紫外線照射の影響を受ける。実際のところ、人々が紫外線の強度を知ることは困難であるので、適切な保護措置をタイムリーに採ることができない。そのため、日々肌は病んでゆくであろう。
【発明の開示】
【発明が解決しようとする課題】
【０００３】
それゆえ、本発明は、いつでも、どこでも、紫外線強度を表示するために人々に同伴する紫外線強度表示装置を提供する。さらに、本発明は、強い紫外線強度を積極的に警告する紫外線強度表示装置を提供する。
【課題を解決するための手段】
【０００４】
本発明の一態様に係る更新された紫外線情報をユーザに提供するための携帯型紫外線強度表示装置は、
紫外線を受光し、紫外線の強度に応じた電気信号を発生するための紫外線センサと、
前記紫外線センサに接続され、前記電気信号に応じた表示信号を発生する表示装置を備える。
【０００５】
上記携帯型紫外線強度表示装置において、前記表示信号は、前記紫外線の強度を表示する可視的信号であることが好ましい。
【０００６】
また、前記表示装置は、計器、液晶ディスプレイ（ＬＣＤ）、エレクトロルミネセンス（ＥＬ）ディスプレイ、真空蛍光ディスプレイ（ＶＦＤ）、発光ダイオード（ＬＥＤ）、有機発光ダイオード（ＯＬＥＤ）、重合体発光ダイオード（ＰＬＥＤ）、低温ポリシリコン液晶ディスプレイ（ＬＴＰＳ−ＬＣＤ）又は７セグメントディスプレイであることが好ましい。
【０００７】
または、前記表示信号は、前記電気信号が閾値を超えたときに出力される可視的信号、可聴的信号又は体感的信号であることが好ましい。
【０００８】
さらに、前記表示信号が可視的信号であるとき、前記表示装置は発光素子、計器、ディスプレイ、フォトクロミックユニット又はエレクトロクロミックユニットであり、前記表示信号が可聴的信号であるとき、前記表示装置はアラーム、又は音声又は楽曲発生装置であり、前記表示信号が体感的信号であるときは、前記表示装置はバイブレータであることが好ましい。
【０００９】
上記携帯型紫外線強度表示装置の用途は乗り物である。
【００１０】
前記電気信号を前記紫外線センサから前記表示装置に乗り物用ディジタルバスを介して送信することが好ましい。
【００１１】
または、上記携帯型紫外線強度表示装置の用途は持ち運び可能な物品である。
【００１２】
前記持ち運び可能な物品は、前記携帯型紫外線強度表示装置の表示装置として機能する組込型ディスプレイ又は組込型音響発生装置を備えた電子機器であることが好ましい。
【発明の効果】
【００１３】
携帯型紫外線強度表示装置は、紫外線を受光して、紫外線の強度に応じた電気信号を出力する紫外線センサと、紫外線センサに接続され、電気信号に応じた表示信号を発生させる表示装置を備えているので、ユーザは、紫外線強度をたやすく知ることができ、適切な保護措置をタイムリーに採ることができる。
【００１４】
表示信号が紫外線の強度を表す可視的信号である場合、例えば表示装置として、計器、液晶ディスプレイ（ＬＣＤ）、エレクトロルミネセンス（ＥＬ）ディスプレイ、真空蛍光ディスプレイ（ＶＦＤ）、発光ダイオード（ＬＥＤ）、有機発光ダイオード（ＯＬＥＤ）、重合体発光ダイオード（ＰＬＥＤ）、低温ポリシリコン液晶ディスプレイ（ＬＴＰＳ−ＬＣＤ）又は７セグメントディスプレイを用いることができる。
【００１５】
表示信号が電気信号の値が閾値を超えたときに出力される可視的信号である場合、表示装置として、確実にユーザの注意を引く様々な種類の可視的装置、例えば、発光素子、計器、ディスプレイ、フォトクロミックユニット又はエレクトロクロミックユニットを用いることができる。
【００１６】
表示信号が、電気信号の値が閾値を超えたときに出力される可聴的信号である場合、表示装置として、確実にユーザの注意を引く様々な種類の可聴的装置、例えば、アラーム、又は音声又は楽曲発生装置を用いることができる。
【００１７】
表示信号が、電気信号の値が閾値を超えたときに出力される体感的信号である場合、表示装置として、確実にユーザの注意を引く様々な種類の体感的装置、例えば、バイブレータを用いることができる。
【００１８】
携帯型紫外線強度表示装置の用途が乗り物である場合、紫外線センサは、表示装置から分離され、離れた位置に設けることができ、乗り物用ディジタルバスを介して紫外線センサから表示装置に電気信号を送信することができる。例えば、乗り物用ディジタルバスとして、ＣＡＮ(controller area network)バス又はＶＡＮ(vehicle area network)を用いることができる。
【００１９】
乗り物としては、例えば、自動車、オートバイ、自転車、ボート又は飛行機など、様々な種類の運送手段とすることができる。
【００２０】
携帯型紫外線強度表示装置の用途が持ち運び可能な物品である場合、持ち運び可能な物品として、例えば、腕時計、ペン、日焼け止め、化粧品又はサングラスの容器など、様々な種類の持ち運び可能な物品とすることができる。また、持ち運び可能な物品を、ポケットベル、携帯電話、パーソナルディジタルアシスタント（ＰＤＡ）又は手持ち式コンピュータなど、携帯型紫外線強度表示装置の表示装置として機能する組込型ディスプレイ及び／又は組込型音響発生装置を有する電子機器とすることができる。
【発明を実施するための最良の形態】
【００２１】
本発明について、以下の実施の形態を参照しつつ詳細に説明する。なお、以下の本発明の好適な実施の形態の記載は、図示及び説明の目的にのみ紹介されたものであることに注意されるべきである。また、発明を余すところなく記載することを意図したものではなく、また、開示された形態にだけ限定されることを意図したものでもない。
【００２２】
紫外線強度が高くなりすぎたときに、紫外線から人々を保護するために、第１に、紫外線強度を知るための紫外線センサが必要である。紫外線センサがどのように機能するのかを示す紫外線検出器の出力電流対紫外線強度をプロットした図１を参照する。この図において、紫外線強度は、太陽紫外線指数として表されている。太陽紫外線指数は、地球表面の最大太陽紫外線の平均値と推定されている。この指数は、一般的に、太陽が南中したときに地球表面に到達すると予測されている、肌にダメージを与える紫外線の最大量の予報として表される。この指数の値は、ゼロからより高い指数値の順に増加する方向に目盛り付けされ、肌や目にダメージを与える紫外線照射である可能性が高ければ高いほど、より少ない時間でダメージを生じる。図に示すように、紫外線センサの出力電流は、紫外線強度に比例する。それゆえ、出力電流データは、紫外線強度を表すのに用いることができる。
【００２３】
本発明は、図２に示すように、紫外線センサ１１及び表示装置１２を備えた携帯型紫外線表示装置を提供する。紫外線センサ１１を伴うことにより、いつでもユーザ(host)の周りの紫外線強度を知ることができる。一度紫外線強度が閾値を超えると、ユーザは表示装置１２を介して通知される。例えば、表示装置１２は、ユーザへの参考として、紫外線強度に関するデータを表示することができ、及び／又は、紫外線強度がユーザに危害を及ぼす可能性があるくらいに高いときは、ユーザに対して可視的、可聴的又は体感的な信号を出力することができる。
【００２４】
紫外線の強度を示す可視的な信号を表示するために、表示装置１２として、計器、液晶ディスプレイ（ＬＣＤ）、エレクトロルミネセンス（ＥＬ）ディスプレイ、真空蛍光ディスプレイ（ＶＦＤ）、発光ダイオード（ＬＥＤ）、有機発光ダイオード（ＯＬＥＤ）、重合体発光ダイオード（ＰＬＥＤ）、低温ポリシリコン液晶ディスプレイ（ＬＴＰＳ−ＬＣＤ）又は７セグメントディスプレイを用いることができる。
【００２５】
紫外線センサ１１により出力された電気信号が閾値を超えたときに、可視的信号を出力するために、表示装置１２として、ユーザの注意を引くために、色を変化させたり、発光効果を生じさせる発光素子、計器、ディスプレイ、フォトクロミックユニット又はエレクトロクロミックユニットを用いることができる。
【００２６】
紫外線センサ１１により出力された電気信号が閾値を超えたときに、可聴的信号を出力するために、表示装置１２として、ユーザの注意を引くために、雑音、音声を発生させたり、あるいは楽曲を奏でるアラーム、又は音声又は楽曲発生装置を用いることができる。
【００２７】
紫外線センサ１１により出力された電気信号が閾値を超えたときに、体感的信号を出力するために、表示装置１２として、バイブレータを用いることができる。
【００２８】
もちろん、２以上の表示装置のタイプを同時に使用して機能させることができる。例えば、図３に示すように、表示装置１２は、ディスプレイ１２１とアラーム１２２を備える。紫外線センサ１１から出力された電気信号は、ディスプレイ１２１とアラーム１２２の両方に送信される。ディスプレイ１２１は、一定間隔で太陽紫外線指数などの紫外線強度上方を表示し、更新する。太陽紫外線指数が有害な閾値を超えたときは、高い紫外線照射による危険をユーザに知らせるために、アラームが音を発生する。
【００２９】
他の例においては、紫外線センサ１１により受光された紫外線強度に応答した電気信号、例えば電流信号が累積的に演算され、ユーザが曝されている紫外線の全体の量が閾値を超えたときに、アラーム１２２が音を発生する。
【００３０】
本発明の携帯型紫外線表示装置は、ユーザによって持ち運ばれる持ち運び可能な物品に装着することができる。例えば、紫外線表示装置は、腕時計、ペン、ポケットベル、携帯電話、パーソナルディジタルアシスタント（ＰＤＡ）、手持ち式コンピュータ、化粧品の容器など、ユーザが頻繁に使用する物品に装着することができる。持ち運び可能な物品が、ポケットベル、携帯電話、ＰＤＡ又は手持ち式コンピュータなどの組込型ディスプレイ及び組込型音響発生装置を有する電子機器であるとき、組込型ディスプレイは、図３の具体例に使用することができ、紫外線表示装置１２のディスプレイ１２１として機能し、組込型の警報機、ベル又はその他の好適な種類の音響発生装置は、紫外線表示装置１２のアラーム１２２として用いることができる。図４を参照して、（ａ）から（ｃ）の３つの例は、携帯電話のディスプレイに紫外線強度に関連した情報の表示を描いている。図４の（ａ）の具体例において、紫外線センサ４１は、太陽光を受光し、紫外線強度に応じた電流信号を出力するために、ハウジング４０の外面に取り付けられている。電流信号は、携帯電話のディスプレイ制御装置（図示せず）に送信され、ディスプレイ制御装置は、紫外線強度に関連した情報を、日付や時間情報に沿って携帯電話のディスプレイ４２に表示されることを許容する。図４（ａ）に具体化された例では、紫外線強度に関連した情報は、太陽紫外線指数を表している。図４の他の具体例（ｂ）では、紫外線強度に関連した情報は、例えば、high、medium high、medium、medium low及びlowなどの文字や記号として表されている。図４（ｃ）のさらなる具体例では、紫外線強度に関連した情報は、例えば中空の棒における陰を付した部分などのグラフィックシンボルで表示されている。もちろん、この概念の下で行うことが可能なその他の表示の変形が存在する。さらに、上記表示方法は、組込型ディスプレイを備えたその他の持ち運び可能な物品に応用することができるが、重複しては記載しない。
【００３１】
図４（ｄ）のさらに別の具体例は、紫外線の過剰な照射を警告するためのアラームとして、携帯電話の組み込み音響発生装置４３を用いている。
【００３２】
または、紫外線表示装置を、日焼け止め、化粧品、サングラスなど、一般的に太陽が照りつけているところで使用される物品の容器に取り付けることができる。図５は、持ち運び可能な物品への携帯型紫外線表示装置の使用を描いたものである。紫外線センサ５１及び表示装置５２は、いつでも、どこでも、紫外線が照射されている状況で、ユーザがたやすくチェックできるように、持ち運び可能な物品の容器５０の外面に取り付けられている。
【００３３】
本発明の携帯型紫外線表示装置は、また、ユーザが座っている乗り物に搭載することができる。例えば、その乗り物は、自動車、オートバイ、自転車、ボートあるいは飛行機などである。携帯型紫外線表示装置の使用は、過剰な紫外線の照射から屋外にいるユーザを保護することを容易にする。自動車を例にとると、紫外線センサは、自動車の外部、例えば、ルームミラーの前側などに配置し、表示装置は自動車の内部、例えばルームミラーの後ろ側に配置することができる。あるいは、紫外線センサを太陽光に曝される適当な場所、例えば自動車の屋根、フロントガラス又は窓などに取り付け、表示装置をユーザの近くの適当な場所、例えばコンソールなどに配置することができるので、ユーザは、表示された合図をたやすく理解することができる。
【００３４】
特に、紫外線センサと表示装置がケーブル又は無線を介して接続されているときには、紫外線強度を表示した紫外線センサから出力された電気信号を表示装置に送信することができる。あるいは、ＣＡＮ(controller area network)やＶＡＮ(vehicular area network)バスなどの乗り物用ディジタルバスを用いて、乗り物内のこれらのモジュール及び他のモジュールの間で信号を送信することができる。図６を参照する。図３の紫外線センサ１１、紫外線表示装置のディスプレイ１２１及びアラーム１２２は、すべてＣＡＮバス１４に接続されている。紫外線センサ１１から出力された電気信号は符号化され、ＣＡＮバス５０(SIC)に出力され、要求されている機能を実行するために、ディスプレイ及びアラームによって受信され、復号化される。乗り物用ディジタルバスを介した送信は、乗り物の配線を簡単化し、ケーブルの全長を短くし、乗り物の重量を軽くする。
【００３５】
上記記載から、本発明に係る携帯型紫外線強度表示装置は、可視的に、可聴的に及び／又は体感的に、過度の紫外線照射を警告することができることが理解されるであろう。従って、ユーザは、自分自身を保護するために、必要な措置を採ることができる。
【００３６】
本発明は、現時点で最も実用的で好ましいと思われる実施の形態で記載されているけれども、記載された実施の形態に限定される必要はないということは理解されるべきである。それどころか、添付された特許請求の範囲の精神及び範囲に含まれる様々な変形や同様の処理をカバーするように意図されている。特許請求の範囲は、そのような変形や同様の構成を包含するように、最も広く解釈されるべきである。
【図面の簡単な説明】
【００３７】
【図１】紫外線検出器による出力電流と紫外線強度の関係をプロットした図。
【図２】本発明に係る携帯型紫外線強度表示装置を示す機能ブロック図。
【図３】本発明の好適な一実施の形態に係る携帯型紫外線強度表示装置を示す機能ブロック図。
【図４】携帯電話のディスプレイ上に紫外線強度の関連した情報を表示した具体例（ａ）から（ｃ）及び携帯電話の音響発生装置により紫外線強度の関連した情報を表現した具体例（ｄ）を示す概略図。
【図５】本発明に係る携帯型紫外線表示装置の持ち運び可能な物品への使用を描いた概略図。
【図６】ＣＡＮバスを介した図３の携帯型紫外線強度表示装置の信号送信を示す機能ブロック図。
【図１】
2004226409.tif 000003
【図２】
2004226409.tif 000004
【図３】
2004226409.tif 000005
【図４】
2004226409.tif 000006
【図５】
2004226409.tif 000007
【図６】
2004226409.tif 000008
【外国語明細書】
1.  Title of Invention
MOBILE UV-INTENSITY INDICATOR AND USE THEREOF
2.  Detailed Description of Invention
Technical Field
The present invention relates to a UV-intensity indicator, and more particular to a mobile UV-intensity indicator for use in a vehicle or a portable article.
Background Art
As being proven medically, UV (ultraviolet radiation) is harmful to human’s skin to a large extent.  Unfortunately, due to the destruction of the ozone layer that is supposed to be able to protect people’s skin from the direct UV radiation, people are subject to exposure under strong UV radiation.  In practice, it is difficult for people to know the intensity of the UV radiation, and thus proper protection measure cannot be adopted timely.  Day after day, skin is possibly diseased.
Problems to be solved by Invention
Therefore, the present invention provides a UV-intensity indicator, which accompanies people to indicate UV intensities at all times in all places.  Further, the present invention provides a UV-intensity indicator, which actively warns of high UV intensity.
Means to solve the Problems
A first aspect of the present invention relates to a mobile UV-intensity indicator for providing updated UV information for a user comprising:
a UV sensor for receiving UV light and generating an electric signal in response to an intensity of said UV light; and
an indicator in communication with said UV sensor, generating an indication signal according to said electric signal.
In the above-mentioned mobile UV-intensity indicator, it is preferable that said indication signal is a visible signal indicating said intensity of said UV light.
Furthermore, it is preferable that said indicator is a gauge, liquid crystal display (LCD), electro-luminescence (EL) display, vacuum fluorescent display (VFD), light emitting diode (LED), organic light emitting diode (OLED), polymeric light emitting diode (PLED), low-temperature polysilicon liquid crystal display (LTPS-LCD) or seven-segment display.
Alternatively, it is preferable that said indication signal is a visible signal, an audible signal, or a tangible signal asserted when a value of said electric signal exceeds a threshold.
Furthermore, it is preferable that said indicator is a lightening device, gauge, display, photo-chromic unit or electro-chromic unit when said indication signal is a visible signal, said indicator is an alarm or a voice or music sounder when said indication signal is an audible signal, and said indicator is a vibrator when said indication signal is a tangible signal.
The use of a mobile UV-intensity indicator as recited above is in a vehicle.
It is preferable that said electric signal is transmitted from said UV sensor to said indicator via a vehicular digital bus.
Alternatively, the use of a mobile UV-intensity indicator as recited above is in a portable article.
It is preferable that said portable article is an electronic appliance with a built-in display or a built-in sounder serving as said indicator of said mobile UV indicator.
Effects of the Invention
Since the mobile UV-intensity indicator comprises the UV sensor for receiving UV light and generating the electric signal in response to then intensity of the UV light and then indicator in communication with the UV sensor, generating the indication signal according to the electric signal, the user can easily know the intensity of UV radiation, and proper protection measure can be adopted timely.
When the indication signal is a visible signal indicating the intensity of the UV light, the indicator, for example, can be a gauge or a display such as a liquid crystal display (LCD), electro-luminescence (EL) display, vacuum fluorescent display (VFD), light emitting diode (LED), organic light emitting diode (OLED), polymeric light emitting diode (PLED), low-temperature polysilicon liquid crystal display (LTPS-LCD) or seven-segment display.
In case of the indication signal is a visible signal asserted when a value of the electric signal exceeds a threshold, the indicator can be any kind of visible device which is safe to attract the user’s attention, and for example, can be a lightening device, gauge, display, photo-chromic unit or electro-chromic unit.
In case of the indication signal is an audible signal asserted when a value of the electric signal exceeds a threshold, the indicator can be any kind of audible device which is safe to attract the user’s attention, and for example, can be an alarm or a voice or music sounder.
In case of the indication signal is a tangible signal asserted when a value of the electric signal exceeds a threshold, the indicator can be any kind of a tangible device which is safe to attract the user’s attention, and for example, can be a vibrator.
When the use of the mobile UV-intensity indicator is in a vehicle, the UV sensor can be separate from and distant from the indicator, and the electric signal can transmitted from the UV sensor to the indicator via a vehicular digital bus.  For example, the vehicular digital bus can be a controller area network (CAN) bus or a vehicle area network (VAN) bus.
The vehicle, for example, can be any kind of transportation tool such as a car, motorcycle, bicycle, boat or plane.
When the use of a mobile UV-intensity indicator is in a portable article, the portable article, for example, can be any kind of portable appliance such as a watch, a pen or a container of sun block, cosmetic or sunglasses.  Alternatively, the portable article is the electronic appliance with the built-in display and/or the built-in sounder serving as the indicator of the mobile UV indicator, such as a pager, a cellular phone, a personal digital assistant (PDA) or a handheld computer.
Best Mode for Carrying Out the Invention
The present invention will now be described more specifically with reference to the following embodiments.  It is to be noted that the following descriptions of preferred embodiments of this invention are presented herein for purpose of illustration and description only; it is not intended to be exhaustive or to be limited to the precise form disclosed.
In order to protect people from UV radiation when the UV intensity is too high, a UV sensor is required to realize the UV intensity first.  Please refer to Fig. 1 which is an output current vs. UV intensity plot of a UV detector, showing how the UV sensor works.  In this figure, the UV intensity is represented by a Solar UV Index.  Solar UV Index estimates the average maximum solar ultraviolet radiation (UV) at the Earth's surface.  The Index is generally presented as a forecast of the maximum amount of skin-damaging UV expected to reach the Earth's surface at solar noon.  The values of the Index range from zero upward and the higher the Index number, the greater the likelihood of skin and eye damaging exposure to UV, and the less time it takes for damage to occur.  As shown, the output current of the UV sensor is proportional to the UV intensity.  Therefore, the output current data can be used to represent the UV intensity.
The present invention provides a mobile UV indicator which comprises a UV sensor 11 and an indicator 12, as shown in Fig. 2.  Being accompanied by the UV sensor 11, the UV intensity around the host can be realized at any time.  Once the UV intensity exceeds threshold, the host can be informed via the indicator 12.  For example, the indicator 12 can reveal the UV intensity-related data for the reference of the host, and/or assert a visible, an audible or a tangible signal to the host when the UV intensity is so high as to be possibly harmful to the host.
For revealing a visible signal indicating the intensity of the UV light, a gauge, liquid crystal display (LCD), electro-luminescence (EL) display, vacuum fluorescent display (VFD), light emitting diode (LED), organic light emitting diode (OLED), polymeric light emitting diode (PLED), low-temperature polysilicon liquid crystal display (LTPS-LCD) or seven-segment display can be used as the indicator 12.
For asserting a visible signal when the electric signal outputted by the UV sensor 11 exceeds the threshold, a lightening device, gauge, display, photo-chromic unit or electro-chromic unit can be used as the indicator 12, which changes its color or generate lightening effect to attract the host’s attention.
For asserting an audible signal when the electric signal outputted by the UV sensor 11 exceeds the threshold, an alarm or a voice or music sounder can be used as the indicator 12, which makes noise, speaks or plays music to attract the host’s attention.
For asserting a tangible signal when the electric signal outputted by the UV sensor 11 exceeds said threshold, a vibrator can be used as the indicator 12.
Of course, more than one types of indicators can be used and function at the same time.  For example, as illustrated in Fig. 3, the indicator 12 comprises a display 121 and an alarm 122.  The electric signal outputted by the UV sensor 11, which varies with the UV intensity received by the UV sensor 11, is transmitted to both of the display 121 and the alarm 122.  The display 121 reveals and updates UV intensity information such as Solar UV index at intervals.  When the Solar UV index exceeds a harmful threshold, the alarm will sound to inform the host in danger of highly UV exposure.
In another example, the electric signal responding to the UV intensity received by the UV sensor 11, e.g. current signal, is accumulatively calculated, and the alarm 122 sounds when the overall UV amount under which the host is exposed exceeds a threshold. 
The mobile UV indicator of the present invention can be mounted on a portable article carried by the host.  For example, the UV indicator can be mounted on an article that the host uses frequently, such as a watch, a pen, a pager, a cellular phone, a personal digital assistant (PDA), a handheld computer, a container of cosmetic, etc.  When the portable article is an electronic appliance with a built-in display and a built-in sounder, such as a pager, a cellular phone, a PDA or a handheld computer, the built-in display can be used in the embodiment of Fig. 3 and functions as the display 121 of the UV indicator 12, and the built-in beeper, ringer or any other suitable kind of sounder can be used as the alarm 122 of the UV indicator 12.  Referring to Fig. 4, three examples (a) to (c) are given to illustrate the indication of UV intensity-associated information on the display of a cellular phone.  In the example (a) in Fig. 4, the UV sensor 41 is mounted on the outer surface of the housing 40 for receiving sunlight and outputting a current signal in response to UV intensity.  The current signal is transmitted to the display controller (not shown) of the cellular phone, and the display controller allows the UV intensity-associated information to be shown on the display 42 of the cellular phone along with the date and/or time information.  In this example, the UV intensity-associated information is revealed as a Solar UV index, as exemplified (a) in Fig. 4.  In another example (b) in Fig. 4, the UV intensity-associated information is revealed as a literal symbol, e.g. high, medium high, medium, medium low and low.  In a further example (c) in Fig. 4, the UV intensity-associated information can be revealed as a graphic symbol, e.g. a shaded portion in a hollow bar.  Of course, there are many other indication variations can be made under the present conception.  Moreover, the aforementioned indication manner can be applied to other portable articles with built-in displays, and is not to be redundantly described herein.
Still another example (d) in Fig. 4 exemplifies the use of the built-in sounder 43 of the cellular phone as the alarm to warn of the overexposure under UV radiation.
Alternatively, the UV indicator can be mounted on a container of an article that is generally used in sunshine, such as a container of sun block, cosmetic, sunglasses, etc.  Fig. 5 illustrates the use of the mobile UV indicator with a portable article.  The UV sensor 51 and indicator 52 of the UV indicator is mounted on the outer surface of the container 50 of the portable article so that the host can easily check the UV radiation situation in any place at any time.
The mobile UV indicator of the present invention can also be mounted in a vehicle that the host is seated.  The vehicle, for example, can be a car, motorcycle, bicycle, boat or plane.  The use of the mobile UV indicator facilitates to prevent the outdoor user from overexposure of UV radiation.  Taking a car for example, the UV sensor can be outside the car, e.g. on the forward side of a rearview mirror, and the indicator can be arranged inside the car, e.g. on the rearward side of the rearview mirror.  Alternatively, the UV sensor can be mounted at any suitable position that is subject to receive sunlight, e.g. the roof, windscreen or window of the car, and the indicator can be arranged at any other suitable position near the user, e.g. the console, so that the user can easily feel the indication signal.
The electric signal outputted by the UV sensor, which is indicative of the UV intensity, can be transmitted to the indicator, especially when the UV sensor and the indictor via cable or wirelessly.  Alternatively, a vehicular digital bus such as a controller area network (CAN) or a vehicular area network (VAN) bus can be used to transmit signals among those and other module units in the vehicle.  Please refer to Fig. 6. The UV sensor 11, the display 121 and the alarm 122 of the UV indicator of Fig. 3 are all connected to a CAN bus 14.  The electric signal outputted from the UV sensor 11 is encoded and outputted to the CAN bus 50, and received and decoded by the display and the alarm to perform required function.  The transmission via the vehicular digital bus simplifies the wiring of the vehicle and minimizes the cable amount and vehicle weight as well.
From the above description, it is understood that the mobile UV-intensity indicator according to the present invention can warn of overexposure under UV radiation in a visible, audible and/or tangible way.  Accordingly, the host can take necessary step to protect himself.
While the invention has been described in terms of what is presently considered to be the most practical and preferred embodiments, it is to be understood that the invention needs not be limited to the disclosed embodiment.  On the contrary, it is intended to cover various modifications and similar arrangements included within the spirit and scope of the appended claims which are to be accorded with the broadest interpretation so as to encompass all such modifications and similar structures.
Brief  Description of Drawings
Fig. 1 is an output current vs. UV intensity plot of a UV detector;
Fig. 2 is a functional block diagram showing a mobile UV-intensity indicator according to the present invention;
Fig. 3 is a functional block diagram showing a mobile UV-intensity indicator according to a preferred embodiment of the present invention;
Fig. 4 is a schematic diagram showing examples (a) to (c) of the indication of UV intensity-associated information on the display of a cellular phone and an example (d) of the indication of UV intensity-associated information by the sounder of a cellular phone;
Fig. 5 is a schematic diagram illustrating the use of the mobile UV indicator according to the present invention with a portable article; and
Fig. 6 is a functional block diagram showing the signal transmission of the mobile UV-intensity indicator of Fig. 3 via a CAN bus.
Claims
1.   A mobile UV-intensity indicator for providing updated UV information for a user comprising:
a UV sensor for receiving UV light and generating an electric signal in response to an intensity of said UV light; and
an indicator in communication with said UV sensor, generating an indication signal according to said electric signal.
2.   The mobile UV-intensity indicator according to claim 1, wherein said indication signal is a visible signal indicating said intensity of said UV light.
3.   The mobile UV-intensity indicator according to claim 1 or 2, wherein said indicator is a gauge, liquid crystal display (LCD), electro-luminescence (EL) display, vacuum fluorescent display (VFD), light emitting diode (LED), organic light emitting diode (OLED), polymeric light emitting diode (PLED), low-temperature polysilicon liquid crystal display (LTPS-LCD) or seven-segment display.
4.   The mobile UV-intensity indicator according to claim 1, wherein said indication signal is a visible signal, an audible signal, or a tangible signal asserted when a value of said electric signal exceeds a threshold.
5.   The mobile UV-intensity indicator according to claim 4, wherein said indicator is a lightening device, gauge, display, photo-chromic unit or electro-chromic unit when said indication signal is a visible signal, said indicator is an alarm or a voice or music sounder when said indication signal is an audible signal, and said indicator is a vibrator when said indication signal is a tangible signal.
6.   The use of a mobile UV-intensity indicator as recited in one of claims 1 to 5 in a vehicle.
7.   The use according to claim 6, wherein said electric signal is transmitted from said UV sensor to said indicator via a vehicular digital bus.
8.   The use of a mobile UV-intensity indicator as recited in one of claims 1 to 5 in a portable article.
9.   The use according to claim 8, wherein said portable article is an electronic appliance with a built-in display or a built-in sounder serving as said indicator of said mobile UV indicator.
1 Abstract
A mobile UV-intensity indicator is mounted on a vehicle or a portable article.  The UV-intensity indicator includes a UV sensor and an indicator such as a display and/or an alarm, and warns of overexposure under UV radiation by marking in the display and/or sounding the alarm.
2 Representative Drawing  Fig. 3
【図１】
2004226409.tif 000009
【図２】
2004226409.tif 000010
【図３】
2004226409.tif 000011
【図４】
2004226409.tif 000012
【図５】
2004226409.tif 000013
【図６】
2004226409.tif 000014